(57)【要約】【課題】  内外のドームの滑動が円滑にできると共に、外側ドームのスライドが極めて直線的に、しかも円滑に行える形式の遠赤外線温熱器のドームスライド構造を提供する。【解決手段】  遠赤外線温熱器のドームスライド構造であって、互いに入子式にスライドする大型ドームと小型ドームの各両側下端には、それぞれ橇部材及びレール部材を有し、橇部材はスライド平面と略垂直なガイド平面とにより、ガイドエッジ部分が構成され、レール部材には支持平面とガイド平面とが鈍角に交叉して設けられ、小型ドームのレール部材上に大型ドーム橇部材を載置した状態で、上記橇部材のガイドエッジ部分が、上記レール部材の支持平面とガイド平面との交叉位置の近傍であることを特徴とする。【選択図】      図２
0003138975.tif 000002
【実用新案登録請求の範囲】
【請求項１】
遠赤外線温熱器のドームスライド構造であって、互いに入子式にスライドする大型ドームと小型ドームの各両側下端には、それぞれ橇部材及びレール部材を有し、橇部材はスライド平面と略垂直なガイド平面とにより、ガイドエッジ部分が構成され、レール部材には支持平面とガイド平面とが鈍角に交叉して設けられ、小型ドームのレール部材上に大型ドーム橇部材を載置した状態で、上記橇部材のガイドエッジ部分が、上記レール部材の支持平面とガイド平面との交叉位置の近傍であることを特徴とするドームスライド構造。
【請求項２】
請求項１記載のドームスライド構造において、上記レール部材の支持平面とガイド平面とは、約１２０°〜１６０°の角度で交叉していることを特徴とするドームスライド構造。
【請求項３】
請求項１又は２に記載のドームスライド構造において、橇部材はＡＢＳ樹脂により、レール部材は鉄板により成形されたものであることを特徴とするドームスライド構造。
【請求項４】
請求項３記載のドームスライド構造において、上記レール部材における支持平面及びガイド平面部分は、他のＡＢＳ樹脂により成形された板を貼着して構成されていることを特徴とするドームスライド構造。
【考案の詳細な説明】
【技術分野】
【０００１】
本願考案はドーム型遠赤外線温熱器に係り、特に、スライドする大型ドームを固定側小型ドームのレール上で滑動させる際に、当該大型ドームのスライド方向の安定性を確保することができる、ドーム型遠赤外線温熱器のドームスライド構造に関するものである。
【背景技術】
【０００２】
従来より、外側カバーと内側カバーとが入子式にスライド可能である、ドーム型遠赤外線温熱器のドームスライド構造は知られている。例えば特開２００４−２４９５９９号公報に記載された温熱健康器においては、図７、図８に示すように、床面１のシート２上にドーム状の内側カバー３及び外側カバー４からなる温熱健康器５が載置されている。
【０００３】
このような温熱健康器５の各カバー３，４は、ドーム形状であり、且つ、内側カバー３の外側で大型の外側カバー４が入子式にスライド可能に設けられており、これら両カバー３，４の内側面には、それぞれ熱赤外線を発生させる面状ヒータ３ａ，４ａが設けられている。そして、使用者は図７に示すようにシート２の上面に横になり、下半身を上記内側カバー３内に置き、上記外側カバー４の上方端を首位置まで引き上げて使用するものである。
【０００４】
ところで、従来公知の上記のごとき入子式カバーにあっては、床面１上のシート２表面には内側カバー３が、そのドームの両下端に設けられた内側レール６により載置されており、該内側カバー３と相対的にスライド可能である外側カバー４の両下端には、前記内側レール６と係合してスライド可能である外側レール７が設けられている。
【０００５】
具体的には、内側カバー３の下端に設けられる内側レール６の外側が、図示のように外方に突出して設けられており、前記外側カバー４の下端に設けられた外側レール７は、幅広四角柱７ａと幅狭四角柱７ｂとによって構成されている。そして、前記外側レール７の幅広四角柱７ａが上記内側レール６の外側突出部上面に係合載置され、同じく外側レール７の幅狭四角柱７ｂが、上記内側レール６の突出部の外側面を包む位置に配置されている。
【０００６】
これにより、上記内側カバー３に対して外側カバー４を前後方向にスライドさせる場合に、外側カバー４を幅広四角柱７ａによって支持するとともに、幅狭四角柱７ｂによって外側カバーの横方向への移動を制限する構造を採用し、外側カバー４の前後方向のスライドを円滑に行うものである。
【特許文献１】特開２００４−２４９５９９号公報
【特許文献２】特開２００７−１０５０７４号公報
【考案の開示】
【考案が解決しようとする課題】
【０００７】
上述のごとき公知のドームスライド構造にあっては、いずれも内側カバー３の両下端に設けられた内側レール６，６上に、外側カバーの両下端に設けられたスライドレールである四角柱体７ａ，７ａが載置されてスライドするために外側カバーがスライド中に揺動し、内外のドーム同士が接触することとなる。このため、これら公知の装置においては外側カバー４の下端に設けたスライドレール７に、更に案内用の幅狭な四角柱体７ｂであるガイドレールを設ける構造としている。
【０００８】
しかしながら、この様な構造のドームスライド構造によっても、上記ガイドレールである四角柱体７ｂと内側レール外側面との隙間を小さくすると、スライド時の摩擦が大きくなって、滑動が不良となり、逆にこれらの隙間を大きくすると外側ドームの揺動が大きくなり、スムーズな滑動が困難となる欠点があった。
本願考案はこのような点に鑑み、内外のドームの滑動が円滑にできると共に、外側ドームのスライドが極めて直線的に、しかも円滑に行える形式の遠赤外線温熱器のドームスライド構造を提供するものである。
【課題を解決するための手段】
【０００９】
本願考案は遠赤外線温熱器のドームスライド構造であって、互いに入子式にスライドする大型ドームと小型ドームの各両側下端には、それぞれ橇部材及びレール部材を有し、橇部材はスライド平面と略垂直なガイド平面とにより、ガイドエッジ部分が構成され、レール部材には支持平面とガイド平面とが鈍角に交叉して設けられ、小型ドームのレール部材上に大型ドーム橇部材を載置した状態で、上記橇部材のガイドエッジ部分が、上記レール部材の支持平面とガイド平面との交叉位置の近傍であることを特徴とする。
【考案の効果】
【００１０】
本願考案に係る遠赤外線温熱器のドームスライド構造によれば、使用者が大型ドームを軽く片手で前後にスライドでき、その場合の大型ドームの捩れ移動が自動的に矯正される。
このため、大型ドーム（外側ドーム）と小型ドーム（内側ドーム）とが接触する心配がなく、ドーム内の遠赤外線発生手段を損傷することもない。
【考案を実施するための最良の形態】
【００１１】
本願考案の実施形態を図１〜図６により説明する。
図１は、本願考案に係るドームスライド構造を有する遠赤外線温熱器のドーム１０を示しており、互いに入れ子式にスライド可能である大型ドーム１１及び小型ドーム１２の斜視図である。また、図２には上記大型ドーム１１と小型ドーム１２とを重ねた状態における、横断面形状が示されている。
これらの各ドーム自体は、従来公知の形式のものであって、それぞれのドームの内側面には公知の遠赤外線発生手段が備えられている。
【００１２】
これらの図面から明らかなように、大型ドーム１１及び小型ドーム１２のそれぞれは、そのドーム本体の両側下端部に、それぞれ後に詳述するところのレール部材３０及び橇部材２０が装着されている。そして、当該レール部材３０の支持平面部３３上において橇部材２０のスライド平面２２が支持され、このために両ドーム１１及び１２はレール部材３０上で滑動自在に支持されている。
【００１３】
図３及び図４は、本願考案において特徴的な構造である、大型ドーム１１及び小型ドーム１２の橇部材２０及びレール部材３０の詳細を示している。図３は特に、これらの橇部材２０とレール部材３０とが各ドーム１１，１２の全長と概略対応した長さの長尺柱体２１，３１として構成されていることを示している。また図４は、同図３のＡ−Ａ側面及びＢ−Ｂ断面を示している。そして、これらの橇部材２０及びレール部材３０は、図２におけるそれぞれ左側の各部材を示している。
【００１４】
これらの図から明らかなように、先ず橇部材２０について説明すると、その長さ方向の大部分を占める長尺柱体部分２１で構成され、その一端にはストッパー２６が形成されている。そして、当該長尺柱体部分２１の断面形状は、後述するレール部材３０の支持平面３３上に載置されるスライド平面２２を有し、これと直角に交わる垂直平面であるガイド平面２３とによって、本願考案の重要な構成要素の一つであるガイドエッジ２４を形成している。なお、前記ガイド平面２３は概略垂直な平面であるが、特に厳密に垂直である必要はない。
【００１５】
また、上記橇部材２０のスライド平面２２の外側は断面円弧状であって、この部分は上記レール部材３０の支持平面３３から離れる方向に形成されている。従って、後に図５において説明するけれども、正常位置で当該橇部材２０は、レール部材３０の支持平面３３に対してスライド平面２２のみで接触している。
なお、橇部材２０の上部平面は大型ドーム１１の下端に取り付ける装着平面２５として形成されている。
【００１６】
レール部材３０の詳細も図３及び図４に明らかである。当該レール部材３０の長尺体部分３１の下方は、小型ドーム１２を図２に示すベッドＢ上に載置するための載置平面３２を有している。また、該レール部材３０の上方は小型ドーム１２へレール部材を固定するための装着平面３５を有しており、この装着平面３５の巾寸法は概略小型ドームの厚さと一致している。
【００１７】
本願考案で特徴的なレール部材３０の構造は、上記橇部材２０を載置し、ガイドするための支持平面３３及びガイド傾斜面３４である。ここで、支持平面３３の巾は上記橇部材２０のスライド平面２２の巾と概略対応しており、当該平面に続くガイド傾斜面３４は、前記支持平面３３と交わって鈍角αを形成している。この両面が交わる角αは、例えば約１４５°に形成され、この傾斜平面によって、後述するごとき橇部材２０のガイド作用をしている。
この角αの数値は厳密なものではなく、後に説明するけれども、１２０°〜１６０°程度の鈍角が望ましい。
【００１８】
図５は、上記大型ドーム１１及び小型ドーム１２の下端に装着される橇部材２０とレール部材３０の一対を、その係合状態において示した平面図及び正面図である。そして、図２に示した各ドームと橇部材及びレール部材の関係を、その図面右側の橇部材２０及びレール部材３０について単独に表示している。
すなわち、図５の（Ａ）において、図面下方が装置利用者の頭側に配置されている。
【００１９】
図５の（Ａ）及び（Ｂ）に明らかなように、橇部材２０のストッパー２６がレール部材３０の足部側係合部材３６の内側に当接した状態であり、これは例えば図１において、大型ドーム１１及び小型ドーム１２を重ね合わせた（伸張させていない）状態を示している。
そしてまた、レール部材３０の頭部側係合部材３６の側面には、橇部材２０のガイド面２３が当接した状態である。
【００２０】
この状態から、上記大型ドーム１１を小型ドーム１２の上側で使用者の頭側に肩口まで引き上げると、すなわち、図５の（Ａ）においてレール部材３０に対して橇部材２０を図面上方に移動させると、橇部材２０のガイド面２３の下端であるガイドエッジ２４（図４参照）がレール部材３０のガイド傾斜面３４と支持面３３との交叉点近傍である支持面上をスライドする。
ここで、上記橇部材２０は通常ＡＢＳ樹脂による成型品として構成されるけれども、レール部材３０については鉄板を折り曲げ加工することにより作製することができる。しかしながら、橇部材２０とレール部材３０との接触面である支持平面３３及びガイド傾斜面３４部分を、別途ＡＢＳ樹脂の薄板により作製し、これを上記鉄板の該当表面に貼着することもできる。
【００２１】
図６は、上記図５の（Ａ）におけるＡ−Ａ断面を拡大して示している。この図から明らかなように、橇部材２０とレール部材３０との正常な位置関係においては、橇部材２０の長尺体部分２１におけるスライド平面２２とガイド平面２３とで構成されるガイドエッジ２４は、レール部材３０の支持平面３３とがガイド傾斜面３４との交叉する位置の近傍である支持平面３３上に位置している。
【００２２】
この状態では、これら橇部材２０及びレール部材３０の各一対の装着平面２５，３５に装着された各ドーム１１，１２は、例えば図１に示す状態で、互いに適正な間隙を有して重ねられており、この状態を保ったままスライド可能とされている。
【００２３】
次に、本願考案に係る遠赤外線温熱器のドームスライド構造における作用を、図６を用いて説明する。
上述のように、遠赤外線温熱器を構成する大型ドーム１１（外側ドーム）と小型ドーム（内側ドーム）は、それぞれの両側下端に、図３〜図６に示すごとき橇部材２０及びレール部材３０が装着されている。そして、小型ドーム１２がその左右のレール部材３０，３０を介してベッド上に載置されると共に、当該レール部材３０，３０のそれぞれの支持平面３３，３３上に載置された一対のスライド平面２２，２２を有する橇部材２０，２０に固定された大型ドーム１１が、図１に示すごとく前後に移動することとなる。
【００２４】
この時、温熱器の利用者が上記大型ドーム１１を前後スライドさせる場合に、仮に当該大型ドーム１１が左右のいずれかに蛇行するような作用が働く場合があるとする。この場合の動きを図６において説明すると、上記蛇行動作は、図のレール部材３０に対して橇部材２０が図面上で相対的に左右に移動する動作である。従って、このような大型ドーム１１の蛇行、すなわち、レール部材３０に対する橇部材２０の左右移動は、次のような作用によって規制されることが判る。
【００２５】
図６において、先ず橇部材２０が図面上で左側に移動したと仮定する。その結果、橇部材２０のスライド平面２２とガイド平面２３とで形成されるガイドエッジ２４が図面上で左側に移動し、レール部材３０の支持平面３３とガイド平面３４とが交叉する部分を越えて、ガイド傾斜面３４上に乗り上げた状態となる。そうすると、当該橇部材２０はこれが装着された大型ドーム１１の自重を受けているので、この重力によって上記ガイドエッジ２４が上記ガイド平面３４に沿って、下方に滑落するように作用することとなる。このために、上記橇部材２０は、自動的に図面上で右側に軌道を修正されることとなる。
【００２６】
次に、同様の状態で大型ドーム１１と共に橇部材２０が図面上で右側に移動（蛇行）した場合を考える。この場合、図６における部材ではレール部材３０に対して橇部材２０が自由に図面上右側に移動できるけれども、大型ドーム１１の反対側の下端部には図６に示すものと同じ構造のものが、左右反対の関係で装着されているので、上記の説明と全く反対の作用が大型ドーム１１に働くこととなる。従って、同様に大型ドーム１１はこの場合も、蛇行が自動的に修正され、結局、本願考案に係るドームスライド構造を有する大型ドーム１１は、自動的に小型ドーム１２上を正確に移動することができるわけである。
【図面の簡単な説明】
【００２７】
【図１】本願考案に係るドームスライド構造を有する遠赤外線温熱器用のドームの斜視図である。
【図２】図１に示すドームの横断面図である。
【図３】本願考案に係るドームスライド構造の平面図である。
【図４】図３のＡ−Ａ側面及びＢ−Ｂ断面図である。
【図５】図３に示すドームスライド構造の組付状態における平面図及び正面図である。
【図６】図５のＡ−Ａ断面図である。
【図７】従来技術に係るドームの説明図である。
【図８】従来技術に係るドームのスライド構造の一部断面図である。
【符号の説明】
【００２８】
１０  遠赤外線温熱器ドーム
１１  大型ドーム
１２  小型ドーム
２０  橇部材
２１  長尺柱体部分
２２  スライド平面
２３  ガイド平面
２４  ガイドエッジ
２５  装着平面
２６  ストッパー
３０  レール部材
３１  長尺柱体部分
３２  載置平面
３３  支持平面
３４  ガイド傾斜面
３５  装着平面
Ｂ  ベッド
【図１】
0003138975.tif 000003
【図２】
0003138975.tif 000004
【図３】
0003138975.tif 000005
【図４】
0003138975.tif 000006
【図５】
0003138975.tif 000007
【図６】
0003138975.tif 000008
【図７】
0003138975.tif 000009
【図８】
0003138975.tif 000010